(57)【要約】【課題】簡素な構成にて、隣り合う振動領域間の独立性が確保可能なフィルムスピーカ等を提供する。【解決手段】フィルムスピーカ２０が備えるフィルムスピーカ用振動板１２は、互いに独立して振動可能な二以上の振動領域１２ａ・１２ｂを備え、隣り合う振動領域１２ａ・１２ｂ同士は、互いに逆方向に凸出している。【選択図】図１
2011130366.tif 000002
【特許請求の範囲】
【請求項１】
フィルム状の振動板を備えたフィルムスピーカであって、
上記振動板が、互いに独立して振動可能な二以上の振動領域を備え、
隣り合う上記振動領域同士は、互いに逆方向に凸出していることを特徴とするフィルムスピーカ。
【請求項２】
隣り合う上記振動領域の双方を含みかつ上記振動板に直交する平面で切断した、当該振動板の断面形状が、Ｓ字形状であることを特徴とする請求項１に記載のフィルムスピーカ。
【請求項３】
隣り合う上記振動領域それぞれに対応して振動領域駆動手段を備え、
上記振動領域駆動手段の一方はアンプに対して同相接続され、上記振動領域駆動手段の他方はアンプに対して逆相接続されていることを特徴とする請求項１又は２に記載のフィルムスピーカ。
【請求項４】
上記振動板を支持する支持部をさらに備え、
上記支持部は、隣り合う上記振動領域同士の境界領域に設けられることを特徴とする請求項１から３の何れか一項に記載のフィルムスピーカ。
【請求項５】
上記振動板が一枚のフィルムを湾曲させてなることを特徴とする請求項１から４の何れか一項に記載のフィルムスピーカ。
【請求項６】
請求項１から５の何れか一項に記載のフィルムスピーカと表示画面とを備えた表示装置であって、
上記振動板が透光性で、かつ当該振動板が上記表示画面上に設けられていることを特徴とする表示装置。
【請求項７】
上記振動板が、隣り合う上記振動領域同士の境界領域の両端部にて、表示装置の本体部に取り付けられていることを特徴とする請求項６に記載の表示装置。
【請求項８】
テレビジョン受像機であることを特徴とする請求項６又は７に記載の表示装置。
【請求項９】
フィルムスピーカに用いられるフィルム状の振動板であって、
互いに独立して振動可能な二以上の振動領域を備え、
隣り合う上記振動領域同士は、互いに逆方向に凸出していることを特徴とする振動板。
【発明の詳細な説明】
【技術分野】
【０００１】
本発明は、新規なフィルムスピーカ用振動板、フィルムスピーカ及び当該フィルムスピーカを備えた表示装置に関する。
【背景技術】
【０００２】
フラットパネルテレビジョン装置等において、パネル前面を透明フィルムで覆い、当該透明フィルムをスピーカの振動板として機能させるものをフィルムスピーカと呼ぶ。フィルムスピーカの原理は、あらかじめ撓ませてある透明フィルムに水平方向の力を加えることによって当該フィルムの撓み率を変化させ、フィルム面に垂直方向な力へと変換するものである。
【０００３】
例えば、特許文献１には、振動板と対向板とのそれぞれに、複数の凹凸を交互に繰り返す連続パルス状の同一導線パターンを形成して、当該振動板及び対向板の一方には直流電流を、他方には音声信号を与える平板型スピーカが記載されている。
【０００４】
上記の平板型スピーカでは、対向した導線間（すなわち、振動板の導線と、対向板の導線との間）に流れる電流が同方向の時は引力が、逆方向の時は斥力が働くことから、加えた音声信号に従って振動板が垂直方向に前後に動く。なお、対向板は固定であってもよく、或いは振動板及び対向板の双方が動く形状であってもよい。
【０００５】
また、振動板上の導線パターンは連続パルス状であるため、隣り合う直線部の導線には互いに逆方向の電流が流れるため斥力が働く。その結果、振動板に皺が形成されなくなるので音質も良くなる。
【０００６】
上記の平板型スピーカでは、振動板には透明フィルムを、導線にはＩＴＯ等の透明電極を使用することにより、テレビジョン装置の表示画面の表面にスピーカ部を形成可能となる。
【先行技術文献】
【特許文献】
【０００７】
【特許文献１】特開２００４−８０２３１号公報（２００４年３月１１日出願公開）
【発明の概要】
【発明が解決しようとする課題】
【０００８】
しかしながら、例えばステレオシステムで、上記特許文献１に記載の平板型スピーカの原理を採用する場合、左右チャネル間のセパレーションをとるために、左右のスピーカを完全に独立に構成する必要がある。そのため、スピーカの構成が簡素にはならない。
【０００９】
そこで、構成を簡素とするため、図５に示すように、左右のスピーカを一体的に構成しようとする試みもなされている（構成１と称する。例えば、http://www.emolabs.com/等も参照される。）。一例として、１枚の透明フィルム（振動板）１２０の中央に筋状に谷１２１を作り、当該谷１２１の部分が動かないように支持をして、谷１２１を挟んだ左右領域１２０ａ・１２０ｂを互いに独立に振動可能とする構成が提案されている。テレビジョン装置の表示画面上にこのスピーカシステムを実現する場合は、表示画面の中央部には細工を施せないため、谷１２１の両端から振動板に強くテンションをかけて、谷１２１の部分が動かないように支持をする方法も試みられている。
【００１０】
上記構成１にかかるスピーカでは、通常、透明フィルム（振動板）１２０の上記谷１２１を挟んだ左右領域１２０ａ・１２０ｂはそれぞれアンプに対して同相接続されている。そのため、アンプから互いに同相の音声信号成分が供された場合、左右領域１２０ａ・１２０ｂは互いに同相に振動する（図５中の（ａ）参照）。よって、谷１２１には、透明フィルムの左右領域（谷を挟み対向する領域）１２０ａ・１２０ｂから同方向の力が加わる。そのため、左右領域１２０ａ・１２０ｂの振動の独立性を確保するためには、谷１２１の部分が動かないように非常に強固に支持する必要が生じるという問題が生じた。
【００１１】
一方、上記構成１にかかるスピーカにおいて、アンプから互いに逆相の音声信号成分が供された場合、上記左右領域１２０ａ・１２０ｂは互いに逆相に振動するが（図５中の（ｂ）参照）、この場合でも谷１２１に加わる力は充分には相殺されない。よって、谷１２１の部分が動かないように非常に強固に支持をしなければ、左右領域１２０ａ・１２０ｂの振動の独立性を確保することは困難である。
【００１２】
本願発明は、上記課題に鑑みてなされたものであり、従来構成より簡素な構成にて隣り合う振動領域間の独立性が確保可能なフィルムスピーカ用振動板、当該振動板を備えたフィルムスピーカ、及び表示装置を提供することを主たる目的とする。
【課題を解決するための手段】
【００１３】
上記の課題を解決するために、本発明にかかるフィルムスピーカは、フィルム状の振動板が、互いに独立して振動可能な二以上の振動領域を備え、隣り合う上記振動領域同士は、互いに逆方向に凸出していることを特徴としている。
【００１４】
上記の構成によれば、隣り合う振動領域同士を互いに逆方向に凸出させることで振動領域間の独立性を確保する。よって、従来構成と比較しても極めて簡素な構成にて、隣り合う振動領域同士を互いに独立して振動させることが可能となるという効果を奏する。
【００１５】
本発明にかかるフィルムスピーカは、上記の構成を前提として、隣り合う上記振動領域の双方を含みかつ上記振動板に直交する平面で切断した、振動板の断面形状が、Ｓ字形状であることが好ましい。
【００１６】
上記の構成によれば、より一層簡素な構成にて、隣り合う振動領域間の独立性が確保可能なフィルムスピーカを提供可能となる。具体的には、例えば、一枚のフィルムをＳ字形状に湾曲させて振動板を形成する等の手法にて上記構成の振動板を備えたフィルムスピーカを提供することができる。
【００１７】
なお、本発明において、Ｓ字形状又はＳ字型とは、山と谷に相当する二つの曲面部を連続的に繋いだ形状を指し、山が振動板の一方に、谷が振動板の他方に相当する。
【００１８】
本発明にかかるフィルムスピーカは、上記の構成を前提として、隣り合う上記振動領域それぞれに対応して振動領域駆動手段を備え、振動領域駆動手段の一方はアンプに対して同相接続され、上記振動領域駆動手段の他方はアンプに対して逆相接続されていることがより好ましい。
【００１９】
上記の構成によれば、互いに逆相の音声信号成分が供された場合に、隣り合う振動領域には逆方向の力が加わるが、隣り合う振動領域同士は互いに逆方向に凸出しているために、両振動領域の境界領域に加わる力は実質的に相殺される。よって、当該境界領域を支持固定するための特段の支持固定機構を設けなくとも、隣り合う振動領域間の独立性が確保可能となる。あるいは、当該境界領域を支持固定するための支持固定機構を極めて簡素とすることが可能となる。
【００２０】
本発明にかかるフィルムスピーカは、隣り合う振動領域間の音の分離をより一層確実にするという観点から、上記の構成を前提として、振動板を支持する支持部（支持固定機構）が、隣り合う上記振動領域同士の境界領域に設けられることがより好ましい。
【００２１】
なお、上記支持部の構成は特に限定されないが、振動板の上下動を抑制するために上記境界領域を表裏両面から挟み込んで保持するような支持固定機構を、当該境界領域の両端部に設けること等が例示される。そして、この場合でも、支持固定機構間で振動板（境界領域）に強いテンションをかける必要は必ずしもない。
【００２２】
さらに、構成をより一層簡素とする観点からは、本発明にかかるフィルムスピーカは、上記振動板が一枚のフィルムを湾曲させてなることがより好ましい。
【００２３】
本発明はまた、上記のフィルムスピーカを備えた、以下の表示装置を提供する。
（１）上記何れかのフィルムスピーカと表示画面とを備え、振動板が透光性で、かつ当該振動板が表示画面上に設けられている表示装置。
（２）上記(１)を前提として、振動板が、隣り合う振動領域同士の境界領域の両端部にて、表示装置の本体部に取り付けられている表示装置。
（３）テレビジョン受像機である表示装置。
【００２４】
本発明はまた、上記したフィルムスピーカ用の振動板を提供する。すなわち、フィルム状の振動板であって、互いに独立して振動可能な二以上の振動領域を備え、隣り合う振動領域同士は、互いに逆方向に凸出している振動板を提供する。
【発明の効果】
【００２５】
本発明によれば、極めて簡素な構成にて、隣り合う振動領域同士を互いに独立して振動させることが可能な振動板、フィルムスピーカ、及び当該スピーカを備えた表示装置を提供することができるという効果を奏する。
【図面の簡単な説明】
【００２６】
【図１】本発明に係るフィルムスピーカを備えた表示装置の概略構成の一例を示す断面図である。
【図２】図１に示す表示装置の概略構成を示す正面図である。
【図３】図１に示す表示装置の概略構成、及び振動板の支持固定機構の概略構成を示す斜視図である。
【図４】本発明に係るフィルムスピーカを備えた表示装置の、概略構成の他の例を示す断面図である。
【図５】従来のフィルムスピーカを備えた表示装置の概略構成を示す断面図である。
【発明を実施するための形態】
【００２７】
〔実施の形態１〕
（スピーカ用振動板、フィルムスピーカ、及び表示装置の基本構成）
以下、図１から図３に基づき、本発明に係るフィルムスピーカ２０の基本構成の一例を説明する。ここで例示するフィルムスピーカ２０は、テレビジョン受像機（表示装置）１０に備え付けられたステレオ対応のスピーカである。例えば、フィルムスピーカ２０の振動領域１２ａがＬ（left）チャネルに、振動領域１２ｂがＲ（right）チャネルに対応している。
【００２８】
テレビジョン受像機１０は、表示パネル１４と、当該表示パネル１４を内部に収容する筐体部１１と、表示パネル１４の表面（表示画面）全体を覆うように筐体部（表示装置の本体部）１１に取り付けられたスピーカ用振動板１２とを備える。すなわち、テレビジョン受像機１０は、その最表面にスピーカ用振動板１２が表出した構成をとる。
【００２９】
表示パネル１４は、例えば、液晶表示パネル、有機ＥＬ（Electro Luminescence）パネル、又はプラズマディスプレイパネル等であり、所定の厚みを持つ長方形状に構成される。
【００３０】
筐体部１１は、表示パネル１４を内部に収容可能な形状（長方形状）の開口部を有し、当該開口部は長方形の長辺を構成する一対の額縁部１１ｂ・１１ｂと、短辺を構成する一対の額縁部１１ａ・１１ａとで取り囲まれて形成されている。なお、当該長辺とは、テレビジョン受像機１０の左右方向に延びる辺に相当し、当該短辺側とは、テレビジョン受像機１０の上下方向に延びる辺に相当する。また、以下の説明において、額縁部１１ａの内面、又は額縁部１１ｂの内面とは、筐体部１１の開口部を構成する内面を指す。
【００３１】
図１及び図３に示すように、フィルムスピーカ２０は、端的には、フィルム（薄膜）状の上記スピーカ用振動板１２と、対向板１４ａと、一対の励振器（振動領域駆動手段）１５・１５とを備える。なお、励振器１５・１５に接続され、その動作を制御する制御機構（電源を含む）、及び励振器１５・１５それぞれに増幅した音声信号成分を供する一対のアンプについては図示していない。
【００３２】
上記の対向板１４ａは、振動領域１２ａ・１２ｂが発する音波を反射する反射板として機能する長方形状の平面部材である。フィルムスピーカ２０では、テレビジョン用の表示パネル１４の表面自体を対向板１４ａとして使用している。あるいは、表示パネル１４の表面上に、別途、対向板を設ける構成とすることもできる。
【００３３】
上記の励振器１５・１５は帯状部材であって、それぞれ、筐体部１１の対向する額縁部１１ａ・１１ａの内面全体に沿って埋設される。励振器１５は、それ自身が再生する音声信号成分に応じて振動をし、その振動をスピーカ用振動板１２に伝達可能なものであれば特に限定されない。このような励振器は、フィルムスピーカの技術分野において公知なものを適宜採用することができる。また、動作詳細の説明の欄でも述べるが、アンプに対して一方が同相接続され、他方が逆相接続されることで、一対の励振器１５・１５は、互いに逆相の音声信号成分がアンプから供された場合に振動領域１２ａ・１２ｂを互いに逆相に駆動（逆相駆動／逆相振動）させる信号をスピーカ用振動板１２に付与することが好ましい。
【００３４】
なお、本明細書では、特に断りの無い限り、「逆相駆動（逆相の駆動）」とは、互いに逆相の音声信号成分がアンプから供された場合に隣り合う振動領域１２ａ・１２ｂ同士を互いに反対方向（同タイミングで何れかが上方で他が下方）に駆動（振動）する方式を指す。なお、この方式では、互いに同相の音声信号成分がアンプから供された場合に隣り合う振動領域１２ａ・１２ｂ同士を互いに同方向（同タイミングで何れも上方又は下方）に駆動（振動）する。
【００３５】
上記のスピーカ用振動板１２は、筐体部１１の開口部及び対向板１４ａと略同じ大きさの平面的な広がり（長方形状の平面的な広がり）を有する。そして、スピーカ用振動板１２は、筐体部１１の上記開口部内に、所定の間隔（空間）をおいて対向板１４ａと対向配置される。スピーカ用振動板１２は、例えば、透光性の高分子材料からなるフィルムであり、好ましくは、透明材料であるポリフッ化ビニリデン（ＰＶＤＦ）、ポリエチレンテレフタラート（ＰＥＴ）、又はポリビニルアルコール（ＰＶＡ）等の材料から構成されるフィルムである。なお、スピーカ用振動板１２の構成材料自体は、既知のフィルムスピーカ用振動板の構成材料を、適宜、採用することができる。
【００３６】
図１及び図３に示すように、スピーカ用振動板１２の静止状態（すなわち、音声を発していない状態）での形状は、本発明の主要な特徴点の一つをなす。なお、図１中の（ａ）及び（ｂ）は、図３中の（ａ）に示すテレビジョン受像機１０を、隣り合う振動領域１２ａ・１２ｂの双方を含みかつスピーカ用振動板１２に直交する平面で切断した断面図に相当する。
【００３７】
図示するように、スピーカ用振動板１２は、互いに独立して振動可能な二つの振動領域１２ａ・１２ｂを備え、隣り合う当該振動領域１２ａ・１２ｂ同士は、互いに逆方向に凸出（突出）している。ここで、「隣り合う振動領域同士が互いに逆方向に凸出する」とは、所定の基準面（例えば振動領域１２ａ・１２ｂ同士の境界領域（図３に点線で示す領域）を通り対向板１４ａに平行な面）に対して、一方の振動領域と他方の振動領域とが反対方向に凸出した状態を指す。
【００３８】
換言すれば、スピーカ用振動板１２において、振動領域１２ａは、平滑な対向板１４ａから遠ざかる方向に凸出する一方、振動領域１２ｂは当該対向板１４ａに近づく方向に凸出する。すなわち、スピーカ用振動板１２は、振動領域１２ａがなだらかな曲面状の山で、当該振動領域１２ａに連続する振動領域１２ｂがなだらかな曲面状の谷に相当する湾曲形状を持つように撓められた一枚の長方形状のフィルムである。山の頂部（振動領域１２ａの頂部）と、谷の底部（振動領域１２ｂの頂部）との間の高低差は、例えば数ミリ程度に設計される。
【００３９】
また、スピーカ用振動板１２の形状は、隣り合う振動領域１２ａ・１２ｂの双方を含みかつスピーカ用振動板１２に直交する平面で切断した断面形状がＳ字形状であると捉えることもできる。或いは、スピーカ用振動板１２の形状は、当該振動板１２をその面に水平な方向（横方向）から見た場合に、隣り合う振動領域同士がＳ字形状をなして連続していると捉えることもできる。
【００４０】
スピーカ用振動板１２は、筐体部１１に対して、以下の通り、支持及び固定されている。まず、スピーカ用振動板１２の二つの短辺（振動領域１２ａの一端、及び振動領域１２ｂの一端に相当）は、額縁部１１ａ・１１ａの内面に対して支持及び固定されている。より具体的には、スピーカ用振動板１２の短辺全長はそれぞれ、当該短辺と略同一の長さを持つ帯状の励振器１５と接続された状態で、額縁部１１ａ・１１ａの内面に対して支持及び固定されている。
【００４１】
スピーカ用振動板１２はさらに、その二つの長辺上の点であり、かつ振動領域１２ａと振動領域１２ｂとの境界線上に位置する位置において、額縁部１１ｂ・１１ｂの内面に点支持されている。スピーカ用振動板１２を点支持する方法は特に限定されないが、具体的には例えば、図３の（ｂ）に拡大構造を示すピン（支持部）１３等を用いる。ピン１３は、スピーカ用振動板１２を挟み込む可能な切れ込み部１３ａを有し、当該切れ込み部１３ａにてスピーカ用振動板１２を表裏から挟み込んで支持する方法が例示される。
【００４２】
本実施形態にかかるフィルムスピーカ２０は、上記のような特有の形状（Ｓ字型に湾曲された形状）を持つスピーカ用振動板１２を採用することで、隣接する振動領域１２ａ・１２ｂ同士を独立に振動させ、当該振動板間での音の分離（セパレーション）をとることが出来る。このため、スピーカ用振動板の支持固定機構（上述のピン１３等）に、隣接する振動板間での音の分離を行う機能（例えば、振動板を極めて強固に支持固定するためのテンション付与機能）を持たせる必要を実質的になくし得る。すなわち、フィルムスピーカ２０の構造を採用すれば、極めて簡素な構成で、左右の音のセパレーションとり、かつ支点部の支持力をより軽減することができる。そして、当該効果は、振動領域１２ａと振動領域１２ｂとが、互いに逆相駆動される状態で、特に顕著になる。
【００４３】
（フィルムスピーカの動作の一例）
以下、図１に基づき、フィルムスピーカ２０の動作の一例について説明する。
【００４４】
フィルムスピーカ２０では、図１中の（ａ）及び（ｂ）に示すように、一対の励振器１５・１５の一方が図示しないＲチャネル用アンプに同相接続され、他方がＬチャネル用アンプに対して逆相接続されている。或いは、一対の励振器１５・１５の一方が図示しないＬチャネル用アンプに同相接続され、他方がＲチャネル用アンプに対して逆相接続されている。例えば、（ａ）は、Ｒチャネル用アンプとＬチャネル用アンプとが互いに逆相の音声信号成分を、対応する励振器１５・１５に供している状態を示している。この時、フィルムスピーカ用振動板１２の中央部（振動領域１２ａ・１２ｂの境界領域）に向かう力が、それぞれの振動領域１２ａ・１２ｂに付加されている。
【００４５】
これにより、振動領域１２ａは上方（対向板１４ａから離れる方向）に、振動領域１２ｂは下方（対向板１４ａに近づく方向）に移動して互いに逆相の音波を発する（逆相駆動）。その結果、フィルムスピーカ用振動板１２の中央部（振動領域１２ａ・１２ｂの境界領域）では、互いに逆方向の力がかかり、当該力は相殺される。すなわち、フィルムスピーカ用振動板１２の中央部は実質的に動かない。よって、必要に応じて簡素な支持固定機構（ピン１３等）を設けるだけで、振動領域１２ａ・１２ｂ間の独立性の確保が可能となる。
【００４６】
なお、図１中の（ｂ）に示す状態は、Ｒチャネル用アンプとＬチャネル用アンプとが互いに同相の音声信号成分を、対応する励振器１５・１５に供している状態を示している。この時、振動領域１２ａ・１２ｂは何れも上方（対向板１４ａから離れる方向）に移動して互いに同相の音波を発する。
〔実施の形態２〕
（圧電フィルムを用いたフィルムスピーカ、及び表示装置の基本構成）
以下、主に図４に基づき、本発明に係るフィルムスピーカ２１の基本構成の他の例を説明する。なお、上記実施の形態１にかかるフィルムスピーカ２０、及びテレビジョン受像機１０と同一の部材については同一の部材番号を付し、詳細な説明は行わない。
【００４７】
フィルムスピーカ２１は、端的には、フィルムスピーカ２０において、フィルムスピーカ用振動板１２に代えて圧電フィルム（振動板）１２’を採用し、かつ、励振器１５・１５に代えて電圧印加部（振動領域駆動手段）１６を設けた点以外は、当該フィルムスピーカ２０と同一の構成を持つ。
【００４８】
圧電フィルム１２’は、電圧の印加により所定の振動をするポリフッ化ビニリデン等の公知の材料から構成される。圧電フィルム１２’は、互いに独立して振動可能な隣接する二つの振動領域１２ａ’・１２ｂ’から構成される。なお、圧電フィルム１２’、及び振動領域１２ａ’・１２ｂ’はそれぞれ、フィルムスピーカ用振動板１２及びその振動領域１２ａ・１２ｂと同一の形状を有する。
【００４９】
電圧印加部１６は、例えば、帯状に延びる負電極・正電極対と、図示しない電源部とを備える。当該負電極・正電極対は、筐体部１１の対向する額縁部１１ａ・１１ａの内面全体に沿って設けられる。各電圧印加部１６は、その負電極・正電極対により、圧電フィルム１２’（より具体的には、振動領域１２ａ’の一端、及び振動領域１２ｂ’の一端）をその表裏面側から挟み込むように構成される。
【００５０】
電圧印加部１６・１６により圧電フィルム１２’に電圧信号が印加されると、当該圧電フィルム１２’は振動して音波を発する。なお、フィルムスピーカ２１では、図４の（ａ）及び（ｂ）に示すように、一対の電圧印加部１６・１６間で、その負電極・生電極の配置が互いに上下逆になっている。すなわち、一対の電圧印加部１６・１６の一方が図示しないＲチャネル用アンプに同相接続され、他方がＬチャネル用アンプに対して逆相接続されている。或いは、一対の電圧印加部１６・１６の一方が図示しないＬチャネル用アンプに同相接続され、他方がＲチャネル用アンプに対して逆相接続されている。例えば、（a）は、Ｒチャネル用アンプとＬチャネル用アンプとが互いに逆相の音声信号成分を、対応する電圧印加部１６・１６に供している状態を示している。このとき、圧電フィルム１２’の中央部（振動領域１２ａ’・１２ｂ’の境界領域）に向かう力が、振動領域１２ａ’・１２ｂ’それぞれに付加される。
【００５１】
これにより、振動領域１２ａ’は上方（対向板１４ａから離れる方向）に、振動領域１２ｂ’は下方（対向板１４ａに近づく方向）に移動して互いに逆相の音波を発する（逆相駆動）。その結果、圧電フィルム１２’の中央部（振動領域１２ａ’・１２ｂ’の境界領域）では、互いに逆方向の力がかかり、当該力は相殺される。すなわち、圧力フィルム１２’の中央部は実質的に動かない。よって、必要に応じて簡素な支持固定機構（ピン１３等）を設けるだけで、振動領域１２ａ’・１２ｂ’間の音の分離が可能となる。
【００５２】
なお、図４中の（ｂ）に示す状態は、Ｒチャネル用アンプとＬチャネル用アンプとが互いに同相の音声信号成分を、対応する電圧印加部１６・１６に供している状態を示している。この時、振動領域１２ａ’・１２ｂ’は何れも上方（対向板１４ａから離れる方向）に移動して互いに同相の音波を発する。
【００５３】
〔その他の実施形態など〕
（１）本発明に係るフィルムスピーカが備える振動板は、隣り合う二つの振動領域（例えば、振動領域１２ａ・１２ｂ）の双方を含み、かつ振動板（例えば、フィルムスピーカ用振動板１２）に直交する平面における、当該振動板の断面形状が、Ｓ字形状であるとも捉えることができる。例えば、当該振動板は、一枚の平板なフィルムをＳ字形状に曲げて構成したものとも捉えることができる。また、上記振動板の断面形状は、二つの振動領域の境界点を中心として奇関数的に略対称（略点対称）となっていると捉えることもでき、それゆえ二つの振動領域は互いに逆相駆動されることが好ましい。
【００５４】
（２）本発明に係るフィルムスピーカが備える振動板は、互いに独立して振動可能な三つ以上の振動領域を備え、隣り合う任意の振動領域同士が何れも互いに逆方向に凸出している構成とすることもできる。
【００５５】
（３）本発明に係るフィルムスピーカが備える振動板は、互いに独立に振動可能な複数の振動領域が一枚のフィルムから構成されていてもよいし、複数枚のフィルムをつなぎ合わせて構成されてもよい。ただし、作製が容易であるため、複数の当該振動領域は一枚のフィルムを湾曲させて構成されていることが好ましい。
【００５６】
（４）本発明に係るフィルムスピーカが備える振動板は、隣り合う振動領域の間にフィルムの平坦部が形成されている構成とすることもできる。
【００５７】
（５）本発明に係るフィルムスピーカが備える振動板は、互いに異なる音声信号成分が入力される二以上の振動領域を備え、隣り合う当該振動領域同士は、互いに逆方向に凸出している構成と捉えることもできる。
【００５８】
一例では、本発明に係るフィルムスピーカは、隣り合う振動領域同士が左右チャネルを構成するステレオ対応のスピーカである。他の例では、本発明に係るフィルムスピーカは、互いに隣接する振動領域が、例えば、ステレオ音声ではない互いに異なる音声に対応するマルチプルスピーカである。
【００５９】
上記の振動板において、隣り合う振動領域同士は、略同一の大きさに構成されてもよく、或いは振動領域の一方が大きく、他方が小さく構成されていてもよい。なお、隣り合う振動領域の一方と他方とに互いに逆相駆動した際、両振動領域の境界領域に加わる力をより容易に制御可能なのは、隣り合う振動領域同士が略同一の大きさに構成されている場合である。
【００６０】
また、表示装置用のフィルムスピーカを構成する振動板は透光性を持つ必要があるが、他の用途に採用されるフィルムスピーカ用の振動板は透光性を持たなくてよい場合もある。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６２】
本発明によれば、簡素な構成にて、隣り合う振動領域間の独立性が確保可能なフィルムスピーカ用振動板、当該振動板を備えたフィルムスピーカ、及び表示装置が提供される。
【符号の説明】
【００６３】
１０                  テレビジョン受像機（表示装置）
１１                  筐体部（表示装置の本体部）
１２                  フィルムスピーカ用振動板（振動板）
１２’                圧電フィルム（振動板）
１２ａ・１２ｂ        振動領域
１２ａ’・１２ｂ’    振動領域
１３                  ピン（支持部）
１５                  励振器（振動領域駆動手段）
１６                  電圧印加部（振動領域駆動手段）
２０                  フィルムスピーカ
２１                  フィルムスピーカ
【図１】
2011130366.tif 000003
【図２】
2011130366.tif 000004
【図３】
2011130366.tif 000005
【図４】
2011130366.tif 000006
【図５】
2011130366.tif 000007